(57)【要約】【課題】脚回り開口の周縁領域における装着性を良好にすることが可能な使い捨ておむつを提供する。【解決手段】肌側に位置する肌側シート（３１，４１）と、非肌側に位置する非肌側シート（３２，４２）と、を備え、着用者の脚を通すための脚回り開口（１ｂ）が形成された使い捨ておむつ（１）であって、脚回り開口（１ｂ）の縁を含む脚回り開口（１ｂ）に沿った脚回り領域（２５）では、肌側シート（３１，４１）と非肌側シート（３２，４２）との間に、伸縮性不織布（３３，４３）の少なくとも一部が配置されており、脚回り領域（２５）には、肌側シート（３１，４１）、伸縮性不織布（３３，４３）、及び非肌側シート（３２，４２）を厚さ方向に接合する接合部（２５１）と、接合しない非接合部（２５２）とが設けられており、伸縮性不織布（３３，４３）は、伸縮性を有する伸縮性繊維、及び伸縮性繊維よりも収縮性の低い伸長性繊維を含む。【選択図】図７
2018000434.tif 000002
【特許請求の範囲】
【請求項１】
厚さ方向と、前記厚さ方向に交差する上下方向と、を有し、
前記厚さ方向の肌側に位置する肌側シートと、
前記厚さ方向の非肌側に位置する非肌側シートと、を備え、
着用者の脚を通すための脚回り開口が形成された使い捨ておむつであって、
前記脚回り開口の縁を含む前記脚回り開口に沿った所定の領域では、前記厚さ方向において前記肌側シートと前記非肌側シートとの間に、伸縮性不織布の少なくとも一部が配置されており、
前記所定の領域には、前記肌側シート、前記伸縮性不織布、及び前記非肌側シートを前記厚さ方向に接合する接合部と、接合しない非接合部とが設けられており、
前記伸縮性不織布は、伸縮性を有する伸縮性繊維、及び前記伸縮性繊維よりも収縮性の低い伸長性繊維を含む
ことを特徴とする使い捨ておむつ。
【請求項２】
請求項１に記載の使い捨ておむつにおいて、
前記非接合部における前記伸縮性不織布では、前記伸縮性繊維の収縮に伴って前記伸長性繊維が前記厚さ方向に突出して凸部が形成されている
ことを特徴とする使い捨ておむつ。
【請求項３】
請求項１又は２に記載の使い捨ておむつであって、
着用する際に、着用者の腹側となる方を前側とし、前記着用者の背側となる方を後側とする前後方向を有し、
前記前後方向において、前記非接合部は、前記所定の領域のうち中央よりも前側に位置している
ことを特徴とする使い捨ておむつ。
【請求項４】
請求項３に記載の使い捨ておむつであって、
着用する際に着用者の股下に位置する股下部と、
着用する際に前記着用者の腹側の胴回りに位置する腹側胴回り部と、を有し、
前記非接合部は、前記所定の領域のうち前記前後方向における中央よりも前側であって、前記腹側胴回り部の側から前記股下部の側に向かって傾斜する領域に設けられている
ことを特徴とする使い捨ておむつ。
【請求項５】
請求項１〜４のいずれかに記載の使い捨ておむつであって、
前記所定の領域には、前記脚回り開口に沿って伸縮可能な弾性部材が設けられている
ことを特徴とする使い捨ておむつ。
【請求項６】
請求項５に記載の使い捨ておむつであって、
前記非接合部は、前記弾性部材の伸縮方向に対して交差する交差方向に沿って、前記脚回り開口の前記縁から前記弾性部材を横切るように設けられており、
前記弾性部材の伸縮方向に対する前記交差方向のなす角は、鋭角又は鈍角である
ことを特徴とする使い捨ておむつ。
【請求項７】
請求項５又は６に記載の使い捨ておむつであって、
前記厚さ方向及び前記上下方向に交差する横方向を有し、
前記弾性部材よりも上側、かつ前記弾性部材よりも内側であって前記所定の領域に隣接する領域では、前記肌側シート、前記伸縮性不織布、及び前記非肌側シートを前記厚さ方向に互いに溶着する複数の溶着部が、前記脚回り開口に沿って点在している
ことを特徴とする使い捨ておむつ。
【請求項８】
請求項１〜７のいずれかに記載の使い捨ておむつであって、
上端から前記上下方向に所定の幅を有する上端領域を有し、
前記上下方向において、前記伸縮性不織布の繊維密度は、前記所定の領域の方が前記上端領域よりも低い
ことを特徴とする使い捨ておむつ。
【請求項９】
請求項１〜８のいずれかに記載の使い捨ておむつであって、
前記肌側シートの剛性は、前記非肌側シートの剛性よりも低い
ことを特徴とする使い捨ておむつ。
【請求項１０】
請求項１〜９のいずれかに記載の使い捨ておむつであって、
前記伸縮性不織布は、前記伸縮性繊維としてのポリウレタン、及び前記伸長性繊維としてのポリオレフィンを含む
ことを特徴とする使い捨ておむつ。
【発明の詳細な説明】
【技術分野】
【０００１】
本発明は、使い捨ておむつに関する。
【背景技術】
【０００２】
従来、使い捨ておむつとして、前身頃部及び後身頃部の左右側縁部が接合されて、胴回り開口及び左右一対の脚回り開口が形成されたものが知られている。例えば、特許文献１には、肌への当接側となる肌側シート（表面シート）と、着衣への当接側となる非肌側シート（裏面シート）と、厚さ方向において肌側シートと非肌側シートとの間に介在する吸収性コアとによって構成されたおむつが開示されている。
【０００３】
非肌側シートは伸縮性フィルムを有している場合があり、特許文献１の図６には、厚さ方向に積層された２枚の非伸縮性不織布の間に伸縮性フィルムが配置されている例について開示されている。２枚の非伸縮性不織布及び伸縮性フィルムは、間隔を空けて設けられた複数の固着部位において固着されている。伸縮性フィルムが収縮することにより、非固着領域において２枚の非伸縮性不織布が互いに離間する方向に突出してひだを形成し、肌触りを良好にしている。
【先行技術文献】
【特許文献】
【０００４】
【特許文献１】特開平１０−９９３７３号公報
【発明の概要】
【発明が解決しようとする課題】
【０００５】
特許文献１に記載のおむつの脚回り開口の縁において、非固着領域では伸縮性フィルムの端が露出しており、脚回り開口の周縁領域が着用者の脚に触れた際に、剛性を有する伸縮性フィルムが肌に当たったり擦れたりしやすくなる。また、脚回り開口の周縁領域全体を接着剤等で接合した場合には、剛性を有する接合部分が脚に当たって着用者が違和感を覚え、おむつの装着性が悪くなる可能性がある。
【０００６】
本発明は、上記のような問題に鑑みてなされたものであって、その目的とするところは、脚回り開口の周縁領域における装着性を良好にすることが可能な使い捨ておむつを提供することにある。
【課題を解決するための手段】
【０００７】
上記目的を達成するための主たる発明は、厚さ方向と、前記厚さ方向に交差する上下方向と、を有し、前記厚さ方向の肌側に位置する肌側シートと、前記厚さ方向の非肌側に位置する非肌側シートと、を備え、着用者の脚を通すための脚回り開口が形成された使い捨ておむつであって、前記脚回り開口の縁を含む前記脚回り開口に沿った所定の領域では、前記厚さ方向において前記肌側シートと前記非肌側シートとの間に、伸縮性不織布の少なくとも一部が配置されており、前記所定の領域には、前記肌側シート、前記伸縮性不織布、及び前記非肌側シートを前記厚さ方向に接合する接合部と、接合しない非接合部とが設けられており、前記伸縮性不織布は、伸縮性を有する伸縮性繊維、及び前記伸縮性繊維よりも収縮性の低い伸長性繊維を含むことを特徴とする使い捨ておむつである。本発明の他の特徴については、本明細書及び添付図面の記載により明らかにする。
【発明の効果】
【０００８】
本発明によれば、脚回り開口の周縁領域における装着性を良好にすることが可能である。
【図面の簡単な説明】
【０００９】
【図１】本発明の実施形態に係るおむつの一構成例を示す概略斜視図である。
【図２】展開かつ伸長状態のおむつを厚さ方向の非肌側から見た概略平面図である。
【図３】図２のIII−III線断面模式図である。
【図４】伸縮性不織布における厚さ方向の断面模式図である。
【図５】展開かつ伸長状態のおむつにおいて、接合部及び非接合部、ならびに溶着部について説明する説明図である。
【図６】図５のＡ部拡大図である。
【図７】図７Ａは脚回り領域における厚さ方向の断面模式図、図７Ｂは第２点在領域における厚さ方向の断面模式図、図７Ｃは比較例に係るおむつの前身頃部及び後身頃部の厚さ方向の断面模式図である。
【発明を実施するための形態】
【００１０】
本明細書及び添付図面の記載により、少なくとも以下の事項が明らかとなる。
【００１１】
厚さ方向と、前記厚さ方向に交差する上下方向と、を有し、前記厚さ方向の肌側に位置する肌側シートと、前記厚さ方向の非肌側に位置する非肌側シートと、を備え、着用者の脚を通すための脚回り開口が形成された使い捨ておむつであって、前記脚回り開口の縁を含む前記脚回り開口に沿った所定の領域では、前記厚さ方向において前記肌側シートと前記非肌側シートとの間に、伸縮性不織布の少なくとも一部が配置されており、前記所定の領域には、前記肌側シート、前記伸縮性不織布、及び前記非肌側シートを前記厚さ方向に接合する接合部と、接合しない非接合部とが設けられており、前記伸縮性不織布は、伸縮性を有する伸縮性繊維、及び前記伸縮性繊維よりも収縮性の低い伸長性繊維を含む使い捨ておむつが明らかとなる。
【００１２】
このような使い捨ておむつによれば、伸縮性不織布が収縮することにより非接合部において形成された皺の内部では、伸縮性不織布に含まれる伸長性繊維が厚さ方向に突出する。この突出した伸長性繊維がクッションの役割を担うことにより、脚回り開口の周縁領域において着用者の脚への肌当たりや擦れが軽減されて、装着性を良好にすることができる。
【００１３】
かかる使い捨ておむつであって、前記非接合部における前記伸縮性不織布では、前記伸縮性繊維の収縮に伴って前記伸長性繊維が前記厚さ方向に突出して凸部が形成されていることが望ましい。
【００１４】
このような使い捨ておむつによれば、非接合部では、肌側シート及び非肌側シートにより形成された皺に加えて、厚さ方向に突出した凸部を伸縮性不織布が有しているため、クッションが二重に形成される。これにより、着用者の脚への肌当たりや擦れがより軽減されて、装着性を良好にすることができる。
【００１５】
かかる使い捨ておむつであって、着用する際に、着用者の腹側となる方を前側とし、前記着用者の背側となる方を後側とする前後方向を有し、前記前後方向において、前記非接合部は、前記所定の領域のうち中央よりも前側に位置していることが望ましい。
【００１６】
このような使い捨ておむつによれば、着用者が歩く際には脚を前側へ出す動作が主となるため、所定の領域のうちおむつの前側に非接合部が設けられていることにより脚が頻繁に接触する部分での肌当たりや擦れが軽減されて、装着性が良好となる。
【００１７】
かかる使い捨ておむつであって、着用する際に着用者の股下に位置する股下部と、着用する際に前記着用者の腹側の胴回りに位置する腹側胴回り部と、を有し、前記非接合部は、前記所定の領域のうち前記前後方向における中央よりも前側であって、前記腹側胴回り部の側から前記股下部の側に向かって傾斜する領域に設けられていることが望ましい。
【００１８】
このような使い捨ておむつによれば、おむつの前側のうち特に脚が最も接触しやすい股繰りの部分に非接合部が設けられていることにより、着用者が脚を動かした際に肌当たりの良さをすぐに実感することができ、おむつ１の装着性がより良好となる。
【００１９】
かかる使い捨ておむつであって、前記所定の領域には、前記脚回り開口に沿って伸縮可能な弾性部材が設けられていることが望ましい。
【００２０】
このような使い捨ておむつによれば、伸縮性不織布に加えて弾性部材が設けられていることにより、脚回り開口の周縁領域における収縮力が大きくなる。このため、伸長性繊維が厚さ方向に突出しやすく、クッション性が高くなり、脚回り開口の周縁領域における着用者の脚への肌当たりや擦れがより軽減されて、装着性を良好にすることができる。
【００２１】
かかる使い捨ておむつであって、前記非接合部は、前記弾性部材の伸縮方向に対して交差する交差方向に沿って、前記脚回り開口の前記縁から前記弾性部材を横切るように設けられており、前記弾性部材の伸縮方向に対する前記交差方向のなす角は、鋭角又は鈍角であることが望ましい。
【００２２】
このような使い捨ておむつによれば、非接合部は、弾性部材の伸縮方向に対して傾斜した方向（弾性部材の伸縮方向に対する交差方向のなす角が鋭角又は鈍角となる方向）に沿って設けられているため、弾性部材の伸縮方向に対して直交する方向に沿って設けられている場合と比べて、より広い領域に亘って設けやすくなる。したがって、形成される皺が大きくなりやすく、おむつの着用時における脚への肌当たりがより良好になる。
【００２３】
かかる使い捨ておむつであって、前記厚さ方向及び前記上下方向に交差する横方向を有し、前記弾性部材よりも上側、かつ前記弾性部材よりも内側であって前記所定の領域に隣接する領域では、前記肌側シート、前記伸縮性不織布、及び前記非肌側シートを前記厚さ方向に互いに溶着する複数の溶着部が、前記脚回り開口に沿って点在していることが望ましい。
【００２４】
このような使い捨ておむつによれば、弾性部材よりも上側かつ横方向内側の領域において、複数の溶着部を脚回り開口に沿って点在させることにより、脚回りに近い領域だけでなく少し離れた領域においても、細かい皺が形成されることにより肌当たりを良好にすることができる。
【００２５】
かかる使い捨ておむつであって、上端から前記上下方向に所定の幅を有する上端領域を有し、前記上下方向において、前記伸縮性不織布の繊維密度は、前記所定の領域の方が前記上端領域よりも低いことが望ましい。
【００２６】
このような使い捨ておむつによれば、脚回り側の所定の領域における伸縮性不織布の繊維密度を低くすることによりおむつの着用時における脚への肌当たりが柔らかくなり、胴回り側の上端領域における伸縮性不織布の繊維密度を高くすることによりおむつの着用時に上端部を引き上げても破損しにくくなる。
【００２７】
かかる使い捨ておむつであって、前記肌側シートの剛性は、前記非肌側シートの剛性よりも低いことが望ましい。
【００２８】
このような使い捨ておむつによれば、着用者の肌に接する側のシート部材を柔らかくすることにより、装着性がより良好となる。
【００２９】
かかる使い捨ておむつであって、前記伸縮性不織布は、前記伸縮性繊維としてのポリウレタン、及び前記伸長性繊維としてのポリオレフィンを含むことが望ましい。
【００３０】
このような使い捨ておむつによれば、伸縮性繊維としてポリウレタンを用いることにより伸縮性不織布の上下方向及び左右方向への伸縮性を向上させることができると共に、伸長性繊維としてポリオレフィンを用いることにより肌側シートと非肌側シートとの溶着性を向上させることができる。
【００３１】
＝＝＝実施形態＝＝＝
本発明の実施形態に係る使い捨ておむつ（以下では、単に「おむつ１」とする）の一例として、主に高齢者を対象としたパンツ型の使い捨ておむつについて説明する。
【００３２】
（おむつ１の全体構成）
まず、おむつ１の全体構成について、図１〜図３を参照して説明する。
【００３３】
図１は、本実施形態に係るおむつ１の一構成例を示す概略斜視図である。図２は、展開かつ伸長状態のおむつ１を厚さ方向の非肌側から見た概略平面図である。図３は、図２のIII−III線断面模式図である。
【００３４】
おむつ１は、図１及び図２に示すように、「上下方向」と、上下方向に交差する「横方向」と、を有すると共に、図３に示すように、各部材が積層された方向である「厚さ方向」を有する。上下方向のうち、着用者がおむつ１を着用した状態において着用者の胴側となる方を「上側」とし、着用者の股下となる方を「下側」とする。厚さ方向のうち、着用者がおむつ１を着用した状態において着用者の肌と接触する側を「肌側」とし、その反対側を「非肌側」とする。以下では、厚さ方向の肌側を単に「肌側」とし、厚さ方向の非肌側を単に「非肌側」とする。また、おむつ１は、図１に示すように、着用する際に着用者の腹側となる方を「前側」とし、着用者の背側となる方を「後側」とする「前後方向」を有している。
【００３５】
図１に示すように、おむつ１は、着用時において着用者の腹側に対応する前身頃部３０と、着用者の背側（臀部を含む）に対応する後身頃部４０と、着用者の股下に対応する股下部５０と、を有する。このおむつ１は、尿等の液体を吸収する帯状の吸収性本体１０と、吸収性本体１０の非肌側に位置する外装体２０と、を備えており、外装体２０が、前身頃部３０と、後身頃部４０と、股下部５０と、を有している。
【００３６】
図２に示すように、おむつ１を展開して伸長させた状態において、股下部５０は、前身頃部３０と後身頃部４０との間に架け渡されるように設けられ、例えば接着剤等によって前身頃部３０及び後身頃部４０のそれぞれに接合されている。また、図３に示すように、股下部５０は、前身頃部３０及び後身頃部４０よりも肌側に位置している。
【００３７】
なお、おむつ１の「伸長状態」とは、おむつ１が備える各弾性部材（例えば、糸ゴムや伸縮性を有するシート部材）を伸長させることにより、おむつ１全体（製品全体）を皺なく伸長させた状態、具体的には、おむつ１を構成する各部材（例えば、前身頃部３０及び後身頃部４０や股下部５０を構成するシート部材等）の寸法がその部材単体の寸法と一致又はそれに近い寸法になるまで伸長させた状態のことをいう。
【００３８】
吸収性本体１０は、長手方向の一端側が前身頃部３０に位置し、他端側が後身頃部４０に位置しており、厚さ方向において前身頃部３０、後身頃部４０、及び股下部５０と重なるように、例えば接着剤等によって外装体２０に接合されている。
【００３９】
おむつ１は、図２に示す展開状態から、吸収性本体１０の長手方向における所定位置ＣＬ（図２において一点鎖線で示す）を折り位置として吸収性本体１０及び外装体２０が二つ折りされる。当該二つ折りの状態において、前身頃部３０の横方向の両端部に設けられた端部接合領域３０ｅと、後身頃部４０の横方向の両端部に設けられた端部接合領域４０ｅとが、それぞれ接合される。これにより、前身頃部３０と後身頃部４０とが環状につながって、図１に示すような１つの胴回り開口１ａ及び一対の脚回り開口１ｂが形成され、パンツ型のおむつとなる。
【００４０】
図１及び図２に示すように、端部接合領域３０ｅ，４０ｅは、上下方向に沿って設けられており、前身頃部３０の端部接合領域３０ｅと後身頃部４０の端部接合領域４０ｅとの接合手段としては、例えば超音波溶着等が挙げられる。
【００４１】
（吸収性本体１０の構成）
次に、吸収性本体１０の具体的な構成について、図２及び図３を参照して説明する。
【００４２】
吸収性本体１０は、図２に示すように、短手方向（短辺）がおむつ１の横方向に沿った平面視略長方形状である。そして、図３に示すように、吸収性本体１０は、長手方向に沿った吸収性コア１１と、吸収性コア１１の肌側に配置されたトップシート１２と、吸収性コア１１の非肌側に配置されたバックシート１３と、を有している。
【００４３】
吸収性コア１１は、尿等の液体を吸収して保持する部材であり、例えば高吸収性ポリマー（ＳＡＰ）が混入したパルプ繊維等の液体吸収性繊維により形成される。なお、吸収性コア１１は、ティッシュペーパーや不織布等の液透過性のシート部材によって、外周面が覆われていてもよい。
【００４４】
トップシート１２は、着用時において着用者の肌に接触し得る液透過性のシート部材であり、例えば親水性のエアスルー不織布やスパンボンド不織布等により形成される。バックシート１３は、吸収性コア１１に吸収された尿等の液体が外部に漏れ出すことを抑制するための液不透過性シート１３ａと、液不透過性シート１３ａの非肌側に配置された液透過性シート１３ｂと、を備えた二層構造で形成されている。液不透過性シート１３ａとしては、例えば樹脂フィルム等が用いられ、液透過性シート１３ｂとしては、例えば柔軟性を有する不織布等が用いられる。
【００４５】
吸収性本体１０の横方向の両端部にはそれぞれ、長手方向に沿った弾性部材が横方向に間隔を空けて複数設けられている（図１参照）。弾性部材には例えば糸ゴム等を用いることができ、弾性部材が長手方向に収縮することにより吸収性本体１０が着用者の脚回りに沿って収縮してフィットする。これにより、尿等の漏れを抑制することが可能となる。なお、図２では、説明の便宜上、当該弾性部材の図示を省略している。
【００４６】
（外装体２０の構成）
次に、外装体２０の具体的な構成について、図２及び図３に加えて、図４〜図６及び図７Ａ〜Ｃを参照して説明する。
【００４７】
図４は、伸縮性不織布３３における厚さ方向の断面模式図である。図５は、展開かつ伸長状態のおむつ１において、接合部２５１及び非接合部２５２、ならびに溶着部２４１，２４２について説明する説明図である。図６は、図５のＡ部拡大図である。図７Ａは、脚回り領域２５における厚さ方向の断面模式図、図７Ｂは第２点在領域Ｙにおける厚さ方向の断面模式図、図７Ｃは比較例に係るおむつの前身頃部及び後身頃部の厚さ方向の断面模式図である。
【００４８】
外装体２０は、図２及び図５に示すように、股下部５０において横方向内側に向かって最も括れており、当該最も括れた部分では、横方向における股下部５０の外側に吸収性本体１０が露出している。股下部５０は、具体的に、長手方向の中央部分が横方向内側に括れた略砂時計状であり、図３に示すように、厚さ方向に積層された２枚の不織布５１，５２を有している。
【００４９】
前身頃部３０及び後身頃部４０はそれぞれ、上下方向において、端部接合領域３０ｅ，４０ｅが設けられた領域では横方向に長辺を有する略長方形状であり、端部接合領域３０ｅ，４０ｅの下端よりも下側（股下部５０側）では略等脚台形状を有している。この略等脚台形は、台形の脚となる一組の対辺（横方向の外縁）が、股下部５０側に向かうにつれて横方向外側から内側へ傾斜している。
【００５０】
以下の説明において、前身頃部３０のうち、上下方向において、端部接合領域３０ｅが設けられた領域（略長方形状の領域）を前身頃胴回り側領域３０１とし、前身頃胴回り側領域３０１よりも下側の領域（略等脚台形状の領域）を前身頃股下側領域３０２とする。なお、前身頃胴回り側領域３０１は、おむつ１を着用する際に着用者の腹側胴回りに位置する腹側胴回り部の一態様である。また、前身頃部３０と同様に、後身頃部４０のうち、上下方向において、端部接合領域４０ｅが設けられた領域（略長方形状の領域）を後身頃胴回り側領域４０１とし、後身頃胴回り側領域４０１よりも下側の領域（略等脚台形状の領域）を後身頃股下側領域４０２とする。
【００５１】
図３に示すように、前身頃部３０及び後身頃部４０はそれぞれ、肌側に位置する肌側シート３１，４１と、非肌側に位置する非肌側シート３２，４２と、厚さ方向における肌側シート３１，４１と非肌側シート３２，４２との間に設けられた伸縮性不織布３３，４３と、を備えている。なお、前身頃部３０及び後身頃部４０において、肌側シート３１，４１、非肌側シート３２，４２、及び伸縮性不織布３３，４３の構成についてはほぼ同様であるため、以下の説明では前身頃部３０の肌側シート３１、非肌側シート３２、及び伸縮性不織布３３の構成を例に挙げて説明する。
【００５２】
肌側シート３１及び非肌側シート３２はそれぞれ、例えばスパンボンド不織布やＳＭＳ不織布等により形成された柔軟なシート部材である。本実施形態では、肌側シート３１の剛性が非肌側シート３２の剛性よりも低い。このように、着用者の肌に直接的に接触する側のシート部材である肌側シート３１が非肌側シート３２よりも柔らかくすることにより、肌触りが良く、おむつ１の装着性が向上する。
【００５３】
ここで、「剛性」とは、肌側シート３１及び非肌側シート３２が外力を受けた場合の変形のしやすさをいい、剛性の高低を比較するための剛性値としては、例えば、ガーレー剛軟度によって測定された値をサンプル片の長さで割った値を例示できる。ガーレー剛軟度の測定は、(株)安田精機製作所製のＮｏ３１１のガーレー式柔軟度試験機を用いて、ＪＩＳ−Ｌ１０９６に準拠して測定することが可能である。
【００５４】
伸縮性不織布３３は、伸縮性を有する伸縮性繊維、及び伸縮性繊維よりも収縮性の低い伸長性繊維を含んでおり、ギア延伸等の適宜な延伸処理が施された不織布である。本実施形態では、伸縮性繊維として、弾性を有する熱可塑性エラストマーの一種であるポリウレタン系エラストマーの繊維が用いられ、伸長性繊維として、非弾性を有する熱可塑性樹脂の一種であるポリオレフィン系樹脂のポリプロピレン（ＰＰ）の繊維が用いられている。
【００５５】
伸縮性不織布３３は、互いの外周面を対向させつつ回転する一対のギアロールの間を通過させることにより延伸処理が施される。一対のギアロールはそれぞれ、外周面に凹凸を有しており、一方のギアロールの凸部と他方のギアロールの凹部とが噛み合い、一方のギアロールの凹部と他方のギアロールの凸部とが噛み合うように設定されている。このロール機構を通過した伸縮性不織布３３は、図４に示すように、低収縮領域３３ａと高収縮領域３３ｂとが、おむつ１の横方向に沿って交互に並んだ状態となっている。
【００５６】
伸縮性不織布３３を構成する繊維のうち伸長性繊維は、延伸処理によって部分的に引き延ばされて伸縮性繊維の弾性的な変形を阻害し得ない状態となっており、伸縮性不織布３３は伸縮性繊維の弾性変形に基づいて伸縮性を発現している。なお、高収縮領域３３ｂでは伸縮性繊維が網目状に絡み合い、上下方向及び横方向について低収縮領域３３ａにおける収縮力よりも大きな収縮力が発生している。
【００５７】
これにより、おむつ１は、伸縮性の調整を柔軟に行うことができ、着用時におけるフィット性を向上させている。なお、この延伸処理は、互いに直交する方向に延伸処理を行うものであってもよいし、所定の方向にのみ延伸処理を行うものであってもよい。仮に、所定の方向にのみ延伸処理を行った場合であっても、必ずしも全ての繊維の配向が所定の方向に沿っているとは限らないため、所定の方向と直交する方向にも伸縮性が発現する場合がある。
【００５８】
図２及び図５に示すように、前身頃部３０（前身頃胴回り側領域３０１）及び後身頃部４０（後身頃胴回り側領域４０１）はそれぞれ、上端から上下方向に所定の幅を有する上端領域３００，４００を有している。図３に示すように、上端領域３００，４００では、非肌側シート３２，４２の上端部が肌側へ折り返されて、肌側シート３１，４１の肌側に位置している。肌側シート３１，４１及び伸縮性不織布３３，４３の上端は、折り返し位置３０Ｌ，４０Ｌに位置しておらず、折り返し位置３０Ｌ，４０Ｌと肌側シート３１，４１及び伸縮性不織布３３，４３の上端との間にはそれぞれ隙間を有している。当該隙間には、横方向に沿って伸縮可能な糸ゴム３０ａ，４０ａが上下方向に間隔を空けて複数設けられている。
【００５９】
このように、上端領域３００，４００に複数の糸ゴム３０ａ，４０ａを設けることによって腹側胴回り開口１ａの周辺部におけるおむつ１のフィット性を向上させて、おむつ１の上下方向のずれ落ちを抑制することができる。一方、複数の糸ゴム３０ａ，４０ａが配置された部分よりも下側では、伸縮性不織布３３，４３によって面全体で緩やかに着用者の肌にフィットさせることができる。また、複数の糸ゴム３０ａ，４０ａが設けられた部分では肌側シート３１，４１が設けられていないため、複数の糸ゴム３０ａ，４０ａの伸縮力が着用者に伝わりやすくなっている。
【００６０】
なお、本実施形態では、伸縮性不織布３３，４３は、上端領域３００，４００のうち複数の糸ゴム３０ａ，４０ａが配置された領域を除く前身頃部３０及び後身頃部４０の全域に亘って設けられているが、必ずしもその必要はない。少なくとも脚回り開口１ｂ（図１参照）の縁を含む脚回り開口１ｂに沿った所定の領域２５（以下、単に「脚回り領域２５」とする）において、その少なくとも一部が配置されていればよい。
【００６１】
ここで、「脚回り領域２５」とは、外装体２０のうち脚回り開口１ｂの周縁領域であり、おむつ１を着用した状態において着用者の鼠径部に接触し、当該鼠径部に沿って太腿を一周する領域である（図２及び図５において砂地模様で示す）。したがって、脚回り領域２５は、前身頃部３０の一部、股下部５０の一部、及び後身頃部４０の一部を有している。そして、伸縮性不織布３３，４３の一部が、脚回り領域２５のうちの前身頃部３０に相当する部分、及び後身頃部４０に相当する部分に配置されている。
【００６２】
本実施形態では、上下方向において、脚回り領域２５における伸縮性不織布３３，４３の繊維密度は、上端領域３００，４００における伸縮性不織布３３，４３の繊維密度よりも低い。なお、ここでいう「繊維密度」とは、各領域における平均の繊維密度のことをいう。前述したように、伸縮性不織布３３，４３は、低収縮領域及び高収縮領域を有しているため（図４参照）、脚回り領域２５における伸縮性不織布３３，４３のある部分の繊維密度と上端領域３００，４００における伸縮性不織布３３，４３のある部分の繊維密度とを部分的に比較した場合には、脚回り領域２５の方が上端領域３００，４００よりも高いことがある。
【００６３】
脚回り領域２５における伸縮性不織布３３，４３の平均繊維密度を、上端領域３００，４００における伸縮性不織布３３，４３の平均繊維密度よりも低くすることにより、おむつ１の着用時における着用者の脚への肌当たりが柔らかくなる。一方、上端領域３００，４００における伸縮性不織布３３，４３の平均繊維密度が、脚回り領域２５における伸縮性不織布３３，４３の平均繊維密度よりも高くなっているため、おむつ１を着用する際に上端領域３００，４００を掴んで上方へ引き上げた場合でもおむつ１が破損しにくくなる。
【００６４】
脚回り領域２５には、例えばホットメルト接着剤等の接着剤により、肌側シート３１，４１、伸縮性不織布３３，４３、及び非肌側シート３２，４２を厚さ方向に接合する接合部２５１（図５においてハッチングで示す）と、接合しない非接合部２５２と、が設けられている。なお、接合部２５１の領域内において、接着剤の塗布パターン（例えばスパイラルパターン等）によっては、接着剤が塗布されず、肌側シート３１，４１、伸縮性不織布３３，４３、及び非肌側シート３２，４２が厚さ方向に接合されていない部分が存在し得るが、当該部分は前述の非接合部２５２には該当しない。
【００６５】
本実施形態では、図５に示すように、脚回り領域２５のうち前身頃部３０側及び後身頃部４０側の両方に、複数の接合部２５１及び複数の非接合部２５２が設けられているが、接合部２５１及び非接合部２５２自体の構成や作用はどれも略同じであるため、脚回り領域２５のうち前身頃部３０側の接合部２５１及び非接合部２５２を例に挙げて以下に説明する。
【００６６】
図７Ａに示すように、脚回り領域２５において伸縮性不織布３３が伸縮すると、非接合部２５２では、肌側シート３１が肌側に向かって突出し、非肌側シート３２が非肌側に向かって突出して、皺（ひだ）が形成される。このとき、伸縮性不織布３３では、伸縮性繊維が収縮し、伸縮性繊維と比べて収縮性の低い伸長性繊維は厚さ方向に突出して凸部３３０を形成する。
【００６７】
ここで、図７Ｃに示す比較例に係るおむつについて説明する。このおむつの前身頃部及び後身頃部では、厚さ方向における肌側シート９１と非肌側シート９２との間に伸縮性フィルム９３が配置されている。そして、本実施形態に係るおむつ１と同様に、脚回り領域には、肌側シート９１、伸縮性フィルム９３、及び非肌側シート９２を厚さ方向に接合する接合部９１１と、接合しない非接合部９１２と、が設けられている。
【００６８】
伸縮性フィルム９３が収縮すると、非接合部９１２では、本実施形態と同様に、肌側シート９１が肌側に向かって突出し、非肌側シート９２が非肌側に向かって突出して、皺が形成される。しかしながら、本実施形態と異なり、肌側シート９１と伸縮性フィルム９３との間、及び非肌側シート９３と伸縮性フィルム９３との間に、それぞれ隙間が生じてしまう。そのため、例えば肌側シート９１が着用者の肌に接触した場合、図７Ｃにおいて矢印で示したように、肌側シート９１が伸縮性フィルム９３側に向かって押し潰されて、皺が凹んでしまう可能性がある。
【００６９】
一方、本実施形態に係るおむつ１では、非接合部２５２において形成された皺の内部にて、伸縮性不織布３３に含まれる伸長性繊維が厚さ方向に突出しており、当該伸長性繊維が凸部３３０を形成しているため、当該凸部３３０によって肌側シート３１及び非肌側シート３２が支持されている。そのため、肌側シート３１や非肌側シート３２が着用者の肌や着衣に接触したような場合であっても、形成された皺が容易に凹んでしまうことが抑制され、皺の形状を維持することができる。
【００７０】
また、比較例における伸縮性フィルム９３のように、伸縮性を発現するシート部材の剛性が高い場合には、当該シート部材が着用者の脚（肌）に当たったり擦れたりして着用者が違和感を覚えやすい。しかしながら、本実施形態では、柔軟性を有する伸縮性不織布３３を用いており、さらに、凸部３３０がクッションの役割を担うことにより、肌当たりが良くなり擦れも軽減されるため、脚回り領域２５における装着性を良好にすることができる。
【００７１】
そして、図２及び図５に示すように、脚回り領域２５には、脚回り開口１ｂに沿って伸縮可能な脚回り弾性部材２５０が設けられているため、伸縮性不織布３３だけが配置されている場合と比べて、脚回り領域２５における収縮力が大きくなっている。これにより、非接合部２５２において、伸縮性不織布３３に含まれる伸長性繊維が厚さ方向に突出しやすくなりより大きな凸部３３０が形成されてクッション性が向上する。したがって、脚回り領域２５において、着用者の脚への肌当たりがより良好となる。
【００７２】
なお、本実施形態では、脚回り弾性部材２５０は、前身頃脚回り弾性部材２５０ａ、後身頃脚回り弾性部材２５０ｂ、及び股下脚回り弾性部材２５０ｃの３つに分かれた状態で脚回り開口１ｂに沿って断続的に設けられているが、必ずしも脚回り弾性部材２５０が３つに分かれた状態で設けられている必要はない。
【００７３】
図５に示すように、本実施形態では、前身頃脚回り側領域３０２の外縁に沿って接合部２５１が間隔を空けて複数並んで設けられている。したがって、複数の接合部２５１と複数の非接合部２５２とは、前身頃脚回り側領域３０２の外縁に沿って交互に並んでいる。脚回り領域２５のうち前身頃股下側領域３０２側は、着用者の鼠径部に沿って傾斜した領域であり、着用者が歩く際には脚が最も接触しやすい部分である。したがって、当該部分に非接合部２５２が位置することにより、着用者が脚を動かした際に肌当たりの良さをすぐに実感することができ、おむつ１の装着性が良好となる。
【００７４】
このように、脚回り領域２５のうち前身頃部３０側、換言すれば、前後方向において脚回り領域２５のうち中央よりも前側に非接合部２５２が位置していることが望ましい。着用者が歩く際には脚を前側へ出す動作が主となるため、脚回り領域２５のうち、脚が頻繁に接触する前身頃部３０側に非接合部２５２が位置していると、着用者が脚を動かした際の肌当たりや擦れを抑制することができるからである。なお、「前後方向における中央」とは、図２及び図５に示す所定位置ＣＬ（二つ折りの位置）を前後方向の中央位置としている。
【００７５】
また、前身頃部３０側と同様に、後身頃部４０側においても後身頃脚回り側領域４０２の外縁に沿って接合部２５１が間隔を空けて複数並んで設けられている。したがって、複数の接合部２５１と複数の非接合部２５２とは、後身頃脚回り側領域４０２の外縁に沿って交互に並んでいる。このように、柔らかい臀部側にも複数の非接合部２５２が設けられていることにより、おむつ１の着用時において、着用者の臀部への肌当たりが良くなる。
【００７６】
なお、接合部２５１と非接合部２５２とは、必ずしも前身頃脚回り側領域３０２の外縁及び後身頃脚回り側領域４０２の外縁に沿って交互に複数並んで設けられている必要はなく、少なくとも脚回り領域２５に接合部２５１及び非接合部２５２が設けられていればよい。また、本実施形態では、股下部５０には伸縮性不織布が配置されていないため、股下部５０に接合部２５１が設けられていないが、必ずしもその必要はなく、例えば股下部５０に複数の接合部２５１及び複数の非接合部２５２が設けられていてもよい。
【００７７】
図６に示すように、非接合部２５２は、脚回り領域２５に設けられた脚回り弾性部材２５０の伸縮方向（脚回り開口１ｂに沿った方向）に対して交差する交差方向ＣＤ（図６において一点鎖線で示す）に沿って、脚回り開口１ｂの縁から脚回り弾性部材２５０を横切るように設けられている。
【００７８】
したがって、脚回り開口１ｂの縁を見た場合、非接合部２５２では、前身頃部３０の内部及び後身頃部４０の内部を臨む開口が形成されており、伸縮性不織布３３の切れ端（端面）が露出している。しかしながら、伸縮性不織布３３は柔軟性を有する不織布を用いており、さらにクッション性を有する凸部３３０が形成されているため（図７Ａ参照）、おむつ１の着用時に伸縮性不織布３３の露出した端が着用者の脚に接触した場合であっても、擦れ等による違和感を覚えにくい。そして、肌側シート３１、非肌側シート３２、及び伸縮性不織布３３の間に溜まった熱や湿気等を形成された開口から外部へ放出することができ、脚回り領域２５における通気性が良くなる。
【００７９】
また、このとき、脚回り弾性部材２５０の伸縮方向に対する交差方向ＣＤのなす角θは、鋭角（θ＜９０°）又は鈍角（θ＞９０°）である。すなわち、交差方向ＣＤは、脚回り弾性部材２５０の伸縮方向に対して直交していない（θ≠９０°）。これにより、脚回り弾性部材２５０の伸縮方向に対して直交する方向に沿って非接合部２５２が設けられている場合と比べて、より広い領域に亘って非接合部２５２を設けやすくなる。したがって、伸縮性不織布３３が収縮した際に形成される皺が大きくなりやすく、おむつ１の着用時において着用者の脚への肌当たりが良好になる。
【００８０】
図５に示すように、前身頃部３０及び後身頃部４０はそれぞれ、肌側シート３１，４１、伸縮性不織布３３，４３、及び非肌側シート３２，４２を厚さ方向に溶着する複数の溶着部が点在する第１点在領域Ｘ及び第２点在領域Ｙを有している。
【００８１】
第１点在領域Ｘは、前身頃部３０のうち吸収性本体１０が厚さ方向に重ねられた領域、及び後身頃部４０のうち吸収性本体１０が厚さ方向に重ねられた領域であって、複数の第１溶着部２４１が点在する領域である。
【００８２】
複数の第１溶着部２４１は、肌側シート３１，４１、伸縮性不織布３３，４３、及び非肌側シート３２，４２に対して超音波振動及び圧力を加えて超音波接合された部分である。第１溶着部２４１は、略同一の大きさの略長方形状に形成されており、横方向に沿って直立した当該略長方形を４５°傾けたものと、−４５°傾けたものが規則正しくそれぞれ配置されている。複数の第１溶着部２４１は、肌側シート３１，４１、伸縮性不織布３３，４３、及び非肌側シート３２，４２を厚さ方向に接合しつつ、吸収性本体１０の過剰な収縮を抑制して、尿等の排泄物が外部に漏れるのを防いでいる。
【００８３】
第２点在領域Ｙは、前身頃部３０のうち第１点在領域Ｘ、上端領域３００、及び脚回り領域２５の一部を構成する領域を除いた領域、ならびに後身頃部４０のうち第１点在領域Ｘ、上端領域４００、及び脚回り領域２５の一部を構成する領域を除いた領域であって、複数の第２溶着部２４２が点在する領域である。
【００８４】
複数の第２溶着部２４２は、複数の第１溶着部２４１と同様に、肌側シート３１，４１、伸縮性不織布３３，４３、及び非肌側シート３２，４２に対して超音波振動及び圧力を加えて超音波接合された部分である。第２溶着部２４２は、略同一の大きさの円形状に形成されており、第２点在領域Ｙにおいて等間隔に略均一に分布している。
【００８５】
図７Ｂに示すように、第２溶着部２４２の中央をＣｕとすると、中央Ｃｕにおける厚みは、溶着されていない部分（隣り合う第２溶着部２４２の間の非溶着部２４２ａ）における肌側シート３１，４１、伸縮性不織布３３，４３、及び非肌側シート３２，４２の厚みの合計よりも薄くなっている。
【００８６】
肌側シート３１，４１、伸縮性不織布３３，４３、及び非肌側シート３２，４２の接合は、通常、伸縮性不織布３３，４３を横方向及び上下方向に伸長させた状態で肌側シート３１，４１及び非肌側シート３２，４２をそれぞれ厚さ方向に重ね合わせて溶着を行う。そのため、溶着後における自然長の第２点在領域Ｙは、図７Ｂに示すように（前身頃部３０側についてのみ示す）、横方向及び上下方向について、伸縮性不織布３３の伸縮性及び繊維の柔軟性や不規則な配向性によって、厚さ方向に膨らんだ状態となり、肌側シート３１が肌側へ向かって湾曲して突出し、非肌側シート３２が非肌側へ向かって湾曲して突出する。
【００８７】
したがって、隣り合う第２溶着部２４２の間（非溶着部２４２ａ）における伸縮性不織布３３の厚みは、第２溶着部２４２の中央Ｃｕにおける伸縮性不織布３３の厚みよりも厚い。このように厚みがより厚くなった伸縮性不織布３３が、肌側シート３１をより肌側へ湾曲させ、非肌側シート３２をより非肌側へ湾曲させる。この結果、非溶着部２４２ａでは厚みがより厚くなり、肌側及び非肌側に突出した凸形状の皺（ひだ）を形成し、特に隣り合う第２溶着部２４２の間の横方向の中央及び上下方向の中央である交点Ｎの厚みが最も厚くなる。
【００８８】
これにより、着用者はおむつ１の着用時にまずこれらの凸形状の皺に肌が当接するため、柔らかい肌触りを感じることができる。本実施形態では、複数の第２溶着部２４２が、前身頃部３０及び後身頃部４０のうち、第１点在領域Ｘ、上端領域３００，４００、及び脚回り領域２５の一部を構成する領域を除いた領域に略均一に設けられているため、より広い範囲において皺が着用者の肌に均等に当接して、着用者が感じる肌触りの良さが向上する。
【００８９】
なお、複数の第２溶着部２４２は、必ずしも前身頃部３０及び後身頃部４０のうちの広い領域に亘って点在している必要はなく、少なくとも脚回り弾性部材２５０よりも上側かつ脚回り弾性部材２５０よりも内側であって、脚回り領域２５に隣接する領域において、脚回り開口１ｂに沿って点在していればよい。このように、脚回り領域２５において非接合部２５２にて比較的大きい皺を形成するだけでなく、脚回り領域２５から少し離れた領域においても細かい皺を形成させることにより、おむつ１の着用時において肌当たりを良好にすることができる。
【００９０】
また、本実施形態では、伸縮性不織布３３，４３がポリオレフィンを含有しているため、肌側シート３１，４１及び非肌側シート３２，４２との溶着性を向上させることができる。特に、肌側シート３１，４１及び非肌側シート３２，４２がそれぞれ、ポリオレフィン系の繊維であるＰＰ繊維の不織布であり、伸縮性不織布３３，４３に含有されている伸長性繊維がポリオレフィン系樹脂のポリプロピレン（ＰＰ）であるため、溶着時の溶融においてより強固に溶着される。また、伸縮性繊維がポリウレタンであることにより、伸縮性不織布３３，４３に上下方向及び横方向への伸縮性を与えることができる。
【００９１】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００９２】
上記の実施形態では、複数の第１溶着部２４１及び複数の第２溶着部２４２や端部接合領域３０ｅ，４０ｅにおける接合はそれぞれ、超音波溶着による接合手段を用いたがこれに限られない。例えば、熱溶着や融着等の熱や圧力を加えるその他の接合手段を用いてもよい。
【００９３】
上記の実施形態では、上端領域３００，４００のうち複数の糸ゴム３０ａ，４０ａが配置された領域では伸縮性不織布３３，４３が配置されていなかったがこれに限られない。例えば、上端領域３００，４００に、複数の糸ゴム３０ａ，４０ａ及び伸縮性不織布３３，４３の両方を配置してもよいし、伸縮性不織布３３，４３のみを配置してもよい。
【００９４】
上記の実施形態では、複数の第１溶着部２４１及び複数の第２溶着部２４２はそれぞれ、均等な間隔で配置されていたがこれに限られない。例えば、複数の第１溶着部２４１及び複数の第２溶着部２４２が、それぞれ不均等な間隔で配置されていてもよいし、第１溶着部２４１及び第２溶着部２４２形状自体も、特に制限はない。
【００９５】
上記の実施形態では、前身頃部３０及び後身頃部４０はそれぞれ、第１点在領域Ｘ及び第２点在領域Ｙの両方を有していたがこれに限られない。例えば、第１点在領域Ｘ及び第２点在領域Ｙのうちのいずれか一方の点在領域を有していてもよいし、前身頃部３０及び後身頃部４０は点在領域自体を有していなくてもよい。
【００９６】
上記の実施形態では、外周面に凹凸を有するギアによって伸縮性不織布３３，４３に延伸処理を施して伸縮力を発現させていたがこれに限られない。例えば、外周面に凹凸を有さないドラム等によって伸縮性不織布３３，４３に延伸処理を施して伸縮力を発現させてもよい。
【００９７】
上記の実施形態では、伸縮性不織布３３，４３について、弾性を有する熱可塑性エラストマー製繊維として、ポリウレタン系エラストマーを用い、非弾性を有する熱可塑性樹脂性繊維として、ＰＰを用いたがこれに限られない。弾性を有する熱可塑性エラストマー製繊維としてポリスチレン系エラストマー、ポリオレフィン系エラストマー、ポリアミド系エラストマー等であってもよく、非弾性を有する熱可塑性樹脂繊維として、ＰＥ、エチレン―αオレフィン共重合体等のポリオレフィン系樹脂を含む繊維であってもよい。
【００９８】
上記の実施形態では、肌側シート３１，４１及び非肌側シート３２，４２は、ＰＰ繊維のスパンボンド繊維を用いたがこれに限られない。ポリエチレン（ＰＥ）、ポリエステル、ポリアミド等の繊維からなるスパンボンド不織布、ＳＭＳ不織布、エアスルー不織布等を用いてもよい。繊維の構造については、単一の熱可塑性樹脂からなる単独繊維に限るものではなく、例えば、芯材がＰＰで鞘材がＰＥの芯鞘構造の複合繊維であってもよく、これら以外の構造の繊維であってもよい。ただし、単一繊維からなる不織布であることが好ましく、肌側シート３１，４１、非肌側シート３２，４２、及び伸縮性不織布３３，４３に用いる熱可塑性樹脂繊維が同じ繊維であることが最も好ましい。同じ成分からなる繊維が溶融されて固化されることによって、溶着がより強固になるからである。
【００９９】
上記の実施形態では、伸縮性不織布３３，４３の繊維密度を、脚回り領域２５の方が上端領域３００，４００よりも低くすることにしたがこれに限られない。伸縮性不織布３３，４３の繊維密度は、全域に亘って均一であってもよい。
【０１００】
上記の実施形態に係るおむつ１は、大人を着用対象としたが、これに限定されるものではなく、新生児、乳児、幼児等の子供を着用対象としてもよい。
【符号の説明】
【０１０１】
１…おむつ（使い捨ておむつ）
１ｂ…脚回り開口
３１，４１…肌側シート
３２，４２…非肌側シート
３３，４３…伸縮性不織布
２５…脚回り領域（所定の領域）
５０…股下部
３３０…凸部
２４１，２４２…第１及び第２溶着部（溶着部）
２５０，２５０ａ，２５０ｂ，２５０ｃ…脚回り弾性部材
２５１…接合部
２５２…非接合部
３００，４００…上端領域
３０１…前身頃胴回り側領域（腹側胴回り部）
【図１】
2018000434.tif 000003
【図２】
2018000434.tif 000004
【図３】
2018000434.tif 000005
【図４】
2018000434.tif 000006
【図５】
2018000434.tif 000007
【図６】
2018000434.tif 000008
【図７】
2018000434.tif 000009